(57)【要約】【課題】本発明は、このような問題点を解決するためになされたものであり、通信が途絶した場合においても適切な照明が得られ、実使用上での使用感を向上させ、より安定な照明システムを提供することを目的とする。【解決手段】明るさ情報をやり取りする通信手段３と、通信手段からの明るさ情報に基づいてランプを点灯制御する制御手段４とを備えた照明器具２ａ〜２ｃを、複数組み合わせた照明システムにおいて、照明器具の制御手段４は、明るさ情報をやり取りする通信が途絶したことを検出すると、その時点での明るさを維持する。【選択図】        図２
2004303510.tif 000002
【特許請求の範囲】
【請求項１】
他の器具との間で明るさ情報をやり取りする通信手段と、該通信手段からの明るさ情報情報に基づいてランプを点灯制御する制御手段とを備えた照明器具を、複数組み合わせた照明システムにおいて、
前記照明器具の制御手段は、明るさ情報をやり取りする通信が途絶したことを検出すると、その時点での明るさを維持することを特徴とする照明システム。
【請求項２】
前記照明器具の制御手段は、その時点での明るさを一定時間維持した後、その後は明るさを明るくすることを特徴とする請求項１記載の照明システム。
【請求項３】
他の器具との間で明るさ情報をやり取りする通信手段と、該通信手段からの明るさ情報に基づいてランプを点灯制御する制御手段とを備えた照明器具を、複数組み合わせた照明システムにおいて、
前記照明器具の制御手段は、その時点での明るさを元に明るさを制御することを特徴とする照明システム。
【請求項４】
前記照明器具の制御手段は、その時点での明るさがある一定の明るさよりも明るければその明るさを維持し、暗ければある一定の明るさまで明るくすることを特徴とする請求項３記載の照明システム。
【請求項５】
前記照明器具の制御手段は、その時点での明るさがある一定の明るさよりも明るければその明るさを維持し、暗ければある一定時間だけその時点での明るさを維持し、その後一定の明るさまで明るくすることを特徴とする請求項３記載の照明システム。
【請求項６】
他の器具との間で明るさ情報をやり取りする通信手段と、該通信手段からの明るさ情報に基づいてランプを点灯制御する制御手段とを備えた照明器具を、複数組み合わせた照明システムにおいて、
前記照明器具の制御手段は、明るさ情報をやり取りする通信が途絶したことを検出すると、通信が途絶するまでの明るさの変化率を元にして明るさを制御することを特徴とする照明システム。
【請求項７】
前記照明器具の制御手段は、その直前までの明るさの変化率を維持し、変化を継続させることを特徴とする請求項６記載の照明システム。
【請求項８】
前記照明器具の制御手段は、その直前までの明るさの変化率を維持し、一定の明るさまで変化を継続させることを特徴とする請求項６記載の照明システム。
【請求項９】
前記照明器具の制御手段は、その直前までの明るさの変化率を緩やかにし、一定の明るさまで変化を継続させることを特徴とする請求項６記載の照明システム。
【請求項１０】
前記照明器具の制御手段は、その直前までの明るさの変化率が小さい場合はその明るさを維持し、明るさの変化率が大きい場合は一定の明るさに変化させることを特徴とする請求項６記載の照明システム。
【請求項１１】
前記照明器具の制御手段は、その直前までの明るさの変化率を元に、変化率を変えて一定の明るさまで変化を継続させることを特徴とする請求項６記載の照明システム。
【請求項１２】
前記照明器具の制御手段は、明るさの変化率が大きい場合はその変化率を維持し、一定の明るさまで変化を継続させ、明るさの変化率が小さい場合は変化率を０とし、その時点での明るさを維持することを特徴とする請求項１１記載の照明システム。
【請求項１３】
前記照明器具の制御手段は、明るさの変化率が大きい場合には変化率を緩やかにし、一定の明るさまで変化を継続させ、明るさの変化率が小さい場合には変化率を０とし、その時点での明るさを維持することを特徴とする請求項１１記載の照明システム。
【請求項１４】
前記照明器具の制御手段は、電源投入時や通信開始時などのシステムの状態が変わる場合を除いて、明るさを変化させる場合に、明るさの変化を緩やかにすることを特徴とする請求項２〜１３の何れかに記載の照明システム。
【請求項１５】
前記照明器具は時刻を計時する手段を備え、前記制御手段は、時刻情報を元に前記一定の明るさの値を変えることを特徴とする請求項２〜５の何れか又は請求項８〜１３の何れかに記載の照明システム。
【請求項１６】
前記照明器具の前記制御手段は、明るさの変化パターンを複数用意し、切り替えられるようにしたことを特徴とする請求項１〜１５の何れかに記載の照明システム。
【請求項１７】
前記照明器具の前記制御手段は、明るさの変化パターンの切替をユーザーの指定に基づいて行うことを特徴とする請求項１６記載の照明システム。
【請求項１８】
前記照明器具は、通信途絶を表示する表示手段を備えたことを特徴とする請求項１〜１７の何れかに記載の照明システム。
【請求項１９】
前記照明器具の通信手段は、通信途絶があるとその情報を送信することを特徴とする請求項１〜１８の何れかに記載の照明システム。
【請求項２０】
前記照明器具の制御手段は、通信途絶を検出すると、前記ランプの明るさを通常の点灯表示とは異なるようになる点灯表示させて、ユーザに通信途絶を知らせることを特徴とする請求項１〜１７の何れか又は１９記載の照明システム。
【請求項２１】
前記照明器具は、前記通信手段から途絶原因を検出する通信途絶原因検出手段を備え、前記制御手段は、途絶原因に応じて明るさの変化方法を変更することを特徴とする１〜２０の何れかに記載の照明システム。
【発明の詳細な説明】
【０００１】
【発明の属する技術分野】
本発明は、複数の照明機器を備えた照明システムに関し、特に、複数の照明機器を通信手段を介して連動させる照明システムに関する。
【０００２】
【従来の技術】
従来の複数の蛍光灯器具を備えた照明システムにおいては、例えばリモートコントローラから発せられた制御信号が、赤外線によって隣接の蛍光灯器具に順番に送られて、全ての蛍光灯器具が調光されるようにしたものがある（例えば特許文献１）。
【０００３】
【特許文献１】
特開２００２−２６０８７６号公報（段落０００５、図１１）
【０００４】
【発明が解決しようとする課題】
従来の照明装置においては、隣接の蛍光灯器具からの通信が途絶した場合の対策が十分に取られておらず不安定な動作となり、適切な照明が得られないという問題点があった。
【０００５】
本発明は、このような問題点を解決するためになされたものであり、通信が途絶した場合においても適切な照明が得られ、実使用上での使用感を向上させ、より安定な照明システムを提供することを目的とする。
【０００６】
【課題を解決するための手段】
本発明に係る照明システムは、明るさ情報をやり取りする通信手段と、通信手段からの明るさ情報に基づいてランプを点灯制御する制御手段とを備えた照明器具を、複数組み合わせた照明システムにおいて、照明器具の制御手段は、明るさ情報をやり取りする通信が途絶したことを検出すると、その時点での明るさを維持する。
【０００７】
【発明の実施の形態】
実施の形態１．
図１は本発明の実施の形態１に係る照明システムの構成を示したブロック図であり、図２は図１の照明器具の詳細を示したブロック図である。この照明システムは商用電源１に複数の照明器具２ａ〜２ｃが接続されており、複数の照明器具２ａ〜２ｃはその用途に応じて分布して配置される。なお、これらの複数の照明器具２ａ〜２ｃを総称するときには照明器具２という。照明器具２は、通信手段３、制御手段４及びランプ５を備えており、通信手段３はリモートコントローラ（以下、リモコンと略称する）１０との間又は隣接して配置された照明器具２との間のデータ等の授受を行うものであり、例えば赤外線を用いる。制御手段４はインバータ（図示せず）、メモリ４ａ等を内蔵しており、通信手段３を介して得られた制御信号に基づいて駆動電流を制御してランプ５の明るさを調整する。なお、図１の照明システムにおいては、例えば１個の照明器具２ａは、照度センサ２０を備えており、リモコン１０との間で信号の授受を行い、リモコン１０からの制御信号と照度センサ２０の出力に基づいて調光度信号を生成する。
【０００８】
上記のように構成された照明システムにおいては、図１の左側の照明器具２ａの通信手段３がリモコン１０からの制御信号を受信すると、制御手段４はその制御信号と照度センサ２０の出力に基づいて調光度信号を生成し、その調光度信号に対応した駆動電流（出力電流）を出力してランプ５の明るさを制御する。また、このとき、制御手段４はその調光度信号を含んだ制御信号を生成し、通信手段３を介して隣接した照明器具２ｂに所定の周期で送信する。照明器具２ｂは、照明器具２ａからの制御信号を受信すると、その制御信号に含まれる調光度信号に基づいてランプ５の駆動電流を制御するともに、その調光度信号を含んだ制御信号を照明器具２ｃに送信する。このようにして制御信号を順次転送していき、複数の照明器具２ａ〜２ｃを連動させて所定の明るさにする。
【０００９】
図３は上記の照明器具２ｂの動作を示すフローチャートであり、図４はその処理の内容を示したタイミングチャートである。ここでは、照明器具２ｂの例について説明するが、照明器具２ｃの動作は照明器具２ｂと同様である。
【００１０】
照明器具２ｂの制御手段４は、隣接した照明器具２ａからの制御信号を適切に受信したかどうかを判断し（Ｓ１）、隣接した照明器具２ａからの送信信号を適切に受信したと判断した場合にはメモリ４ａの内容を更新する（Ｓ２）。そして、制御手段４は、制御信号に含まれる調光度信号に基づいた駆動電流を出力してランプ５の明るさを調整する（Ｓ３）。また、照明器具２ｂの制御手段４は、隣接した照明器具２ａからの制御信号を適切に受信しなかったと判断した場合（例えば受信した信号が所定のフォーマットになっていない場合等」）にはメモリ４ａに既に格納されている調光度信号（この実施の形態においては直前の調光度信号）を読み出す（Ｓ４）。そして、制御手段４は、その調光度信号に基づいた駆動電流を出力してランプ５の明るさを調整する（Ｓ５）。この調光制御においては、図４に示されるように、通信が途絶したときに、その時点での明るさを維持するようにする。その後、隣接した照明器具２ａからの送信信号を適切に受信した場合には、例えば割り込み処理を行って、上記の正常の受信をした場合の処理（Ｓ２，Ｓ３）に移行する。このことは後述の実施の形態においても同様である。なお、図４において、○印は通信が正常に行われた場合であり、×印は通信が途絶した場合を示している。このことは後述の実施の形態においても同様である。
【００１１】
この種の照明システムにおいては、通信の途絶の原因となるノイズなどは、通常継続時間が短いものの方が発生頻度が多いが、本実施の形態１においては、図４に示されるように、通信が途絶したときに、短時間のノイズを無視するように、その時点での明るさを変化させずに維持することにより、実使用上での使用感を向上させ、より安定な照明システムを提供することが可能となっている。
【００１２】
実施の形態２．
図５は本発明の実施の形態２に係る照明システムの処理の内容を示したタイミングチャートである。図３のフローチャートにおける処理は基本的には同じであるが、上記の処理（Ｓ５）の内容は異なっている。本実施の形態２においては、図５に示されるように、制御手段４は、通信が途絶したときに、その時点での明るさを一定時間維持し、その後は明るさを明るくしている。
【００１３】
この種の照明システムにおいては、長期間の通信途絶が発生する場合には、照明の目的からユーザの使用環境を害するおそれがあるが、本実施の形態２においては、一定時間、通信が回復しない場合には明るさを最低限不自由を感じない一定レベルまで回復することにより、実使用上での使用感を向上させて、より安定な照明システムを提供することが可能となっている。
【００１４】
実施の形態３．
図６は本発明の実施の形態３に係る照明システムの処理を示したフローチャートであり、図７はその処理の内容を示したタイミングチャートである。照明器具２ｂの制御手段４は、隣接した照明器具２ａからの制御信号を適切に受信した場合の処理は上記の実施の形態１と同様な処理がなされる。照明器具２ｂの制御手段４は、隣接した照明器具２ａからの制御信号を適切に受信しなかったと判断した場合にはメモリ４ａの調光度信号を読み出す（Ｓ４）。そして、制御手段４は、その調光度信号の値が一定の明るさよりも明るいかどうかを判断し（Ｓ８）、明るいと判断したときにはメモリ４ａから読み出された調光度信号に基づいた駆動電流を出力してランプ５の明るさを調整する（Ｓ９）。即ち、この調光制御においては、図７（Ａ）に示されるように、通信が途絶したときに、その時点での明るさを維持するようにする。また、制御手段４は、その調光度信号の値が一定の明るさよりも明るくない（暗い）という判断をした場合には、その時点の駆動電流より大きな電流を出力して、図７（Ｂ）に示されるように、前記の一定の明るさよりも明るい所定の明るさになるように制御する。なお、図７（Ｂ）の調光制御に代えて、図７（Ｃ）に示されるように、一定時間だけ現在の明るさを維持して、その後に、所定の明るさまで明るくするようにしてもよい。
【００１５】
本実施の形態３においては、通信が途絶したときに明るさに基づいて明るさを制御しており、特に、図７（Ａ）（Ｂ）のように調光制御した場合には、ランプの明るさが既に一定レベルよりも明るくなっていれば、実使用上この明るさが必要とされていることが推定できるためその明るさを維持し、一定の明るさよりも暗い場合だけ、明るさを最低限不自由を感じない所定の明るさまで回復するようにしたので、実使用上での使用感が向上し、より安定な照明システムを提供することが可能となっている。
【００１６】
また、本実施の形態３においては、図７（Ａ）（Ｃ）のように調光制御した場合には、ランプの明るさが既に一定レベルよりも明るくなっていれば、実使用上この明るさが必要とされていることが推定できるため、明るさを維持し、一定レベルよりも暗い場合で、一定時間、通信が回復しない場合には明るさを最低限不自由を感じない所定の明るさまで回復させることにより、実使用上での使用感が向上し、より安定な照明システムを提供することが可能となっている。
【００１７】
実施の形態４．
図８は本発明の実施の形態４に係る照明システムの処理を示したフローチャートであり、図９（Ａ）はその処理の内容を示したタイミングチャートである。照明器具２ｂの制御手段４は、隣接した照明器具２ａからの制御信号を適切に受信した場合の処理は上記の実施の形態１と同様な処理がなされる（Ｓ１〜Ｓ３）。
但し、ここでは、受信した調光度信号を順次記憶して、その調光度（明るさ）の変化率が求められるようにしてある。照明器具２ｂの制御手段４は、隣接した照明器具２ａからの制御信号を適切に受信しなかったと判断した場合にはメモリ４ａに格納されている複数の調光度信号を読み出す（Ｓ４）。そして、制御手段４は、図９（Ａ）に示されるように、その調光度信号の変化率を求め、その変化率を維持した調光度信号を生成し、その調光度信号に対応して駆動電流を増加させてランプ５を明るくする。なお、図９（Ａ）は変化率が正の場合であるが、変化率が負の場合には駆動電流を減少させてランプ５を暗くすることになる。
【００１８】
この種の照明システムにおいて、通信が途絶するまでに明るさが変化してきている場合には、何らかの原因で変化させる必要があると推定できる。このため、本実施の形態４においては、図９（Ａ）に示されるように、明るさの変化率を変えずに変化を続けさせることにより、実使用上での使用感が向上し、より安定な照明システムを提供することが可能となっている。
【００１９】
また、通信が途絶するまでの明るさの変化率を元にして明るさを制御する例としては、図９（Ａ）の例の他に、例えば図９（Ｂ）〜（Ｆ−２）に示されるような態様があり、それらを（ｂ）〜（ｆ）の項に分けて説明する。
【００２０】
（ｂ）  図９（Ｂ）の例は、通信途絶の直前までの明るさの変化率を維持し、一定の明るさまで変化を続けるようにしたものである。図９（Ｂ）に示されるように、明るさの変化率を変えずに変化を続け、実使用上差し支えない一定の明るさで止めるようにしたことにより、実使用上での使用感が向上し、より安定で不要な電力消費を押さえられる照明システムを提供することが可能になっている。
【００２１】
（ｃ）また、図９（Ｃ）の例は、通信途絶の直前までの明るさの変化率を穏やかにし（小さくし）、一定の明るさまで変化を続けるようにしたものである。通信が途絶するまでに明るさが変化してきている場合には、何らかの原因で変化させる必要があると推定でき、このため明るさを同じように変える必要があると判断できるが、急激な変化はユーザに不快感を与えることが判っているため、図９（Ｃ）に示されるように、変化率を緩やかにして変化を続け、実使用上差し支えない一定の明るさで止めることにより、実使用上での使用感が向上し、より安定で不要な電力消費を押さえられる照明システムを提供することが可能となっている。
【００２２】
（ｄ）また、図９（Ｄ−１）（Ｄ−２）の例は、変化率が小さい場合はその明るさを維持し（Ｄ−１）、変化率が大きい場合に一定の明るさに変化させるようにした（Ｄ−２）例である。通信が途絶するまでの明るさの変化を用い、明るさがほとんど変わっていなければ、図９（Ｄ−１）に示されるように、その明るさを維持しても差し支えないが、大きく変化している場合には何らかの原因で変化させる必要があると推定できる。このため、図９（Ｄ−２）に示されるように、明るさを最低限不自由を感じない一定レベルまで回復することにより、実使用上での使用感が向上し、より安定な照明システムを提供することが可能となっている。
【００２３】
（ｅ）また、図９（Ｅ−１）（Ｅ−２）の例は、明るさの変化率が大きい場合はその変化率を維持し、一定の明るさまで変化を続け（Ｅ−１）、小さい場合には変化率を０とし、その時点での明るさを維持するようにした（Ｅ−２）例である。このようにすることにより、実使用上での使用感が向上し、より安定な照明システムを提供することが可能となっている。
【００２４】
（ｆ）また、図９（Ｆ−１）（Ｆ−２）の例は、明るさの変化率が大きい場合はその変化率を穏やかにして一定の明るさまで変化を続け（Ｆ−１）、急激な変化による不快感をユーザに与えないようにし、明るさの変化率が小さい場合には変化率を０とし、その時点での明るさを維持するようにした（Ｆ−２）例である。
このようにすることにより、実使用上での使用感を向上し、より安定な照明システムを提供することが可能となっている。
【００２５】
以上のように、本実施の形態４においては、通信が途絶するまでの明るさの変化率を元にして明るさを制御するようにしたので、実使用上での使用感を向上し、より安定な照明システムを提供することが可能となっている。
【００２６】
実施の形態５．
図１０は本発明の実施の形態５に係る照明システムの処理の内容を示したタイミングチャートである。図１０に示されるように、制御手段４は、電源投入時や通信開始時などのシステムの状態が変わる場合を除いて、明るさを変化させる全ての場合において（例えば上記の図５、図７、図９参照）、明るさの変化を緩やかにするようにしている。このように明るさを変化を穏やかにしているので、急激な変化による不快感をユーザに与えず、実使用上での使用感を向上し、より安定な照明システムを提供することが可能になっている。
【００２７】
実施の形態６．
図１１は本発明の実施の形態６に係る照明システムの構成を示したブロック図であり、図１２はその処理の内容を示したタイミングチャートである。本実施の形態６の照明器具２は、図１の例に示されたものの他に、時刻を計時する計時手段６を備えている。本実施の形態６においては計時手段６が時刻を計時し、通信が途絶した場合には、図１２に示されるように、制御手段４はその時刻を取り込んで、朝、昼、夜の時間帯に応じて、明るさをそれぞれ変化させる。例えば、通常であれば照明が必要とされる時間帯に明るくし、不要な時間帯には暗くすることができる。これは、上述の実施の形態の一定の明るさ（基準値）の値を時間帯に応じて変化させることにより実現している。このように、本実施の形態６においては、時刻を元にして通信途絶時の明るさを決めるようにしたので、より実使用上での使用感を向上し、より安定な照明システムを提供することが可能となっている。
【００２８】
実施の形態７．
図１３は本発明の実施の形態７に係る照明システムの構成を示したブロック図である。本実施の形態７の制御手段４は、明るさの変化パターン４１，４２を複数用意しておいて、切替スイッチ４３により任意に切り替えられるようにしている。この切り替えは、予め設定しておいても良いし、リモコン１０の制御指令に基づいて行うようにしてもよい。この明るさの変化パターン４１，４２は、上述の実施の形態のいずれであっても良く、その個数は３個以上の複数であってもよい。このように、本実施の形態７においては、通信途絶時の明るさを複数用意し、切り替えられるようにしたことにより、通信途絶により不都合が予想される場合でも、実使用上での使用感を向上し、より安定な照明システムを提供することが可能となっている。
【００２９】
実施の形態８．
図１４は本発明の実施の形態８に係る照明システムの構成を示したブロック図である。本実施の形態８の制御手段４は、明るさの変化パターン４１，４２を複数用意しておいて、ユーザによって任意に切り替えられるようにしている。このように、本実施の形態８においては、通信途絶時の明るさパターンを複数用意し、ユーザが使用時に切り替えられるようにしたので、ユーザのニーズに自由に対応ができ、実使用上での使用感が向上し、より安定な照明システムを提供することが可能となっている。
【００３０】
実施の形態９．
図１５は本発明の実施の形態９に係る照明システムの構成を示したブロック図である。本実施の形態９においては、照明器具２は、図１の例に示されたものの他に表示手段８が設けられている。制御手段４が通信途絶を検出すると、表示手段８にて通信状態を表示するようにしている。このように、通信が途絶したことが表示手段８により表示されるので、ユーザに不安感を与えることがなく、また、対策を立てることができ、実使用上での使用感を向上し、より安定な照明システムを提供することが可能となっている。
【００３１】
実施の形態１０．
本実施の形態１０においては、図２（又は図１３、図１４、図１５、後述の図１７）に示される照明器具２において、制御手段４が通信の途絶を検出すると、通信手段３を介して隣接した照明器具２等に送信する。このように、通信が途絶したことを通信手段３により他の照明器具２等に通知することにより、再送信などの通信上での対策や、表示手段８を１箇所にまとめるなどに役立てられ、信頼性、実使用上での使用感を向上し、より安定な照明システムを提供することが可能になっている。
【００３２】
実施の形態１１．
図１６は本発明の実施の形態１１に係る照明システムの処理の内容を示したタイミングチャートである。制御手段４は、通信の途絶を検出すると、ランプ５の明るさを数回変化させ（例えば所定時間の点滅表示）、通信状態を明確にユーザに通知するようにしている。このように、通信が途絶したときに、通常の点灯表示とは異なる点灯をさせることによりユーザに通知することにより、表示手段８を追加することなく、ユーザに不安感を与えず、また対策を立てることができ、実使用上での使用感が向上させ、より安定な照明システムを提供することが可能になっている。
【００３３】
実施の形態１２．
図１７は本発明の実施の形態１２に係る照明システムの構成を示したブロック図である。本実施の形態１２においては通信途絶原因検出手段９を更に設けており、通信途絶原因検出手段９は通信遮断時に通信手段３から通信途絶原因を推定し、その結果によりランプ５の明るさパターン４１，４２を選択して明るさを変化させるようにしている。例えば通信手段３の出力が直流成分だけような場合（出力信号がフラットになっている）には、通信途絶の原因が外乱によるものであると推定する。このように、通信途絶原因検出手段９により通信手段３から通信途絶原因を検出し、原因に応じて明るさの変化方法を変更するようにしているので、通信状態を明確にユーザに通知することが可能になっており、通信状態の回復などの対策等が行え、実使用上での使用感を向上し、より安定な照明システムを提供することが可能になっている。
【００３４】
実施の形態１３．
なお、上記の実施の形態において、通信手段は赤外線を用いる例について説明したが、本発明においては有線を用いてもよい。また、照明システムの用途に応じて、上記の実施の形態を適宜組み合わせて使用することが可能である。
【００３５】
【発明の効果】
以上のように本発明によれば、明るさ情報をやり取りする通信が途絶したことを検出すると、その時点での明るさを維持するようにしたので、実使用上での使用感を向上させ、より安定な照明システムを提供することが可能となる。
【図面の簡単な説明】
【図１】本発明の実施の形態１に係る照明システムの構成を示したブロック図である。
【図２】図１の照明器具の詳細を示したブロック図である。
【図３】図１の照明器具の動作を示すフローチャートである。
【図４】図１の照明器具の処理の内容を示したタイミングチャートである。
【図５】本発明の実施の形態２に係る照明システムの処理の内容を示したタイミングチャートである。
【図６】本発明の実施の形態３に係る照明システムの処理を示したフローチャートである。
【図７】図６の処理の内容を示したタイミングチャートである。
【図８】本発明の実施の形態４に係る照明システムの処理を示したフローチャートである。
【図９】図８の処理の内容を示したタイミングチャートである。
【図１０】本発明の実施の形態５に係る照明システムの処理の内容を示したタイミングチャートである。
【図１１】本発明の実施の形態６に係る照明システムの構成を示したブロック図である。
【図１２】図１１の処理の内容を示したタイミングチャートである。
【図１３】本発明の実施の形態７に係る照明システムの構成を示したブロック図である。
【図１４】本発明の実施の形態８に係る照明システムの構成を示したブロック図である。
【図１５】本発明の実施の形態９に係る照明システムの構成を示したブロック図である。
【図１６】本発明の実施の形態１１に係る照明システムの処理の内容を示したタイミングチャートである。
【図１７】本発明の実施の形態１２に係る照明システムの構成を示したブロック図である。
【符号の説明】
１  商用電源、２、２ａ〜２ｃ  照明器具、３  通信手段、４  制御手段、５
ランプ、６  計時手段、８  表示手段。
【図１】
2004303510.tif 000003
【図２】
2004303510.tif 000004
【図３】
2004303510.tif 000005
【図４】
2004303510.tif 000006
【図５】
2004303510.tif 000007
【図６】
2004303510.tif 000008
【図７】
2004303510.tif 000009
【図８】
2004303510.tif 000010
【図９】
2004303510.tif 000011
【図１０】
2004303510.tif 000012
【図１１】
2004303510.tif 000013
【図１２】
2004303510.tif 000014
【図１３】
2004303510.tif 000015
【図１４】
2004303510.tif 000016
【図１５】
2004303510.tif 000017
【図１６】
2004303510.tif 000018
【図１７】
2004303510.tif 000019